(57)【要約】【課題】１回線のアナログ回線に複数の電話機が接続された場合の同時使用を回避して回線電流の低下を防ぎ、動作の安定化をはかる。【解決手段】１回線のアナログ回線に接続される電話機（非常電話機２０ａ）であって、電話機本体２０と、送受話器２１３のオフフックを検知するオフフック検知部２１１と、アナログ回線１０の回線電圧を監視し、所定の電圧値を満たす場合に制御信号を出力する電圧検知部２１２と、オフフック検知部２１１がオフフックを検知し、電圧検知部２１２が制御信号を出力した場合に、電話機本体２０を起動する起動制御部２１０と、を有する。【選択図】図２
2018186441.tif 000002
【特許請求の範囲】
【請求項１】
１回線のアナログ回線に電話機が複数台接続される電話システムの電話機であって、
電話機本体と、
送受話器のオフフックを検知するオフフック検知部と、
前記アナログ回線の回線電圧を監視し、所定の電圧値を満たす場合に制御信号を出力する電圧検知部と、
前記オフフック検知部がオフフックを検知し、前記電圧検知部が前記制御信号を出力した場合に、前記電話機本体を起動する起動制御部と、
を備えたことを特徴とする電話機。
【請求項２】
前記起動制御部は、
前記電圧検知部が前記制御信号を出力して一旦オンすると、以降、前記送受話器をオンフックするまでの間ターンオン状態を保持するスイッチング素子又はスイッチング回路を有することを特徴とする請求項１に記載の電話機。
【請求項３】
前記電話機は、
緊急事態発生時に通報を行う非常電話機であることを特徴とする請求項１又は２に記載の電話機。
【発明の詳細な説明】
【技術分野】
【０００１】
本発明は、特に、緊急事態発生時の通報に用いて好適な電話機に関する。
【背景技術】
【０００２】
例えば、高速道路や幹線道路等において、事故やトラブル等の緊急事態が発生した場合に、その状況を管理センタへ通報するため、道路脇に等間隔で非常電話機が設置されている。このような非常電話システムは、非常電話機の送受話器を利用者がオフフック操作するだけで、通信回線を介して管理センタを自動呼び出しするものになっており、管理センタの受付台でオペレータが応答操作することにより、非常電話機と受付台とが通信回線を介して接続されて、利用者とオペレータとの相互通話が開始できる（例えば、特許文献１参照）。
【先行技術文献】
【特許文献】
【０００３】
【特許文献１】特開２０１２−０８５０７８号公報
【発明の概要】
【発明が解決しようとする課題】
【０００４】
ところで、アナログ回線１回線に複数台の非常電話機が接続された場合、ある非常電話機が発信後、受付台が応答前に他の非常電話機がオフフックした場合、ある非常電話機の動作が不安定になり、回線状態によっては使用が不可能な状態に陥ることがある。非常電話機は１回線に１台のみの通話を想定して設計されており、したがって、このケースでは１回線に対して２台分の電話抵抗値が挿入されることになる。このため、回線電流値が想定値以上に低下し、非常電話機の動作に必要な電流を確保することができなくなるため不安定な動作になる。
【０００５】
本発明は上記した課題を解決するためになされたものであり、１回線のアナログ回線に複数の電話機が接続された場合の同時使用を回避して回線電流の低下を防ぎ、動作の安定化をはかった電話機を提供することを目的とする。
【課題を解決するための手段】
【０００６】
（１）上記した課題を解決するために本発明は、１回線のアナログ回線に電話機が複数台接続される電話システムの電話機であって、電話機本体と、送受話器のオフフックを検知するオフフック検知部と、前記アナログ回線の回線電圧を監視し、所定の電圧値を満たす場合に制御信号を出力する電圧検知部と、前記オフフック検知部がオフフックを検知し、前記電圧検知部が前記制御信号を出力した場合に、前記電話機本体を起動する起動制御部と、を備えたことを特徴とする。
【０００７】
（２）本発明の電話機において、前記起動制御部は、前記電圧検知部が前記制御信号を出力して一旦オンすると、以降、前記送受話器をオンフックするまでの間オン状態を保持するスイッチング素子又はスイッチング回路を有することを特徴とする。
【０００８】
（３）本発明の電話機において、前記電話機は、緊急事態発生時に通報を行う非常電話機であることを特徴とする。
【発明の効果】
【０００９】
本発明によれば、１回線のアナログ回線に複数の電話機が接続された場合の同時使用を回避して回線電流の低下を防ぎ、動作の安定化をはかった電話機を提供することができる。
【図面の簡単な説明】
【００１０】
【図１】本発明の実施の形態に係る電話機の接続形態を示す図である。
【図２】本発明の実施の形態に係る電話機の内部構成を示すブロック図である。
【図３】図２の回線制御部の回路構成の一例を示す図である。
【発明を実施するための形態】
【００１１】
以下、添付図面を参照して、本発明を実施するための形態（以下、本実施形態と言う）について詳細に説明する。なお、実施形態の説明の全体を通して同じ要素には同じ番号又は符号を付している。
【００１２】
（実施形態の構成）
図１に示すように、本実施形態に係る電話機は、例えば、非常電話機であり、ここでは、１台目の非常電話機２０ａからｎ台目（ｎは正の整数）の非常電話機２０ｎまで、仕様が許す範囲でアナログ回線１０に、例えば、５０台接続されている。
【００１３】
非常電話機２０ａ〜２０ｎは、２本の線（後述するＬ１，Ｌ２）で電話局の交換機と接続されている、この２本の線が回線（アナログ回線１０）と呼ばれ、４８Ｖ程度（４２Ｖ〜５３Ｖ）の直流電圧が印加されている。例えば、非常電話機２０ａを使用するために送受話器を上げる（オフフック）と、電話機の種類や回線長によって多少異なるが、通常、２６Ｖ〜３２Ｖ程度直流電圧が下がり、送受話器を下す（オンフック）と使用していない場合と同じ電圧に戻る。
【００１４】
図２に本実施形態に係る電話機の内部構成が示されているが、ここでは、非常電話機２０ａが例示されている。他の非常電話機２０ｎ−１，２０ｎ等も同様の構成を有する。
【００１５】
非常電話機２０ａは、主制御部を含む電話機本体２０と、回線制御部２１とから構成されている。回線制御部２１は、電話機本体２０の負荷を軽減するために回線制御を電話機本体から独立して行う機能ブロックである。回線制御部２１は、起動制御部２１０と、オフフック検知部２１１と、電圧検知部２１２と、送受話器２１３とを含み、構成される。
【００１６】
オフフック検知部２１１は、送受話器２１３のオフフックを検知して電圧検知部２１２へ出力するスイッチ（ＳＷ）を含む。電圧検知部２１２は、アナログ回線１０の回線電圧を監視し、所定の出圧値を満たす場合に起動制御部２１０へ制御信号を出力する。起動制御部２１０は、オフフック検知部２１１が送受話器２１３のオフフックを検知し、電圧検知部２１２が制御信号を出力した場合に電話機本体２０（主制御部）を起動する。
【００１７】
図３に、回線制御部２１を構成するハードウエア回路の一例を示す。図３に示すように、電話機本体２０にアナログ回線１０に印加される電圧がサイリスタである起動制御部２１０を介して供給される。アナログ回線１０を構成する線Ｌ１に０Ｖ，Ｌ２に−４８Ｖの電圧が印加されており、抵抗Ｒ２，Ｒ１で分割された電圧が電圧検知部２１２で監視される。電圧検知部２１２で検知された電圧が所定値を満たす場合、起動制御部２１０に電流を流し、電話機本体２０に電源制御部２１０ａ内で５Ｖの内部電源２１０ｂを得る構成になっている。
【００１８】
起動制御部２１０は、ゲートＧに一定の電流を流すと、アノードＡとカソードＫの間が導通（ターン・オン）して、そのまま導通状態が続くホールド機能を有するスイッチング素子である。導通状態を停止（ターン・オフ）させるには、アノードＡとカソードＫの間の電流を一定値以下に下げる必要があり、送受話器２１３をオンフックすることにより回線電圧を遮断する必要がある。なお、起動制御部２１０に限らず、ホールド機能を実現するために個々の素子を組み合わせデスクリート回路によりスイッチング回路を実現してもよい。
【００１９】
（実施形態の動作）
以下、本実施形態に係る電話機の動作について詳細に説明する。上記したように、本実施形態に係る電話機は、１回線のアナログ回線１０に接続された電話機の同時使用を回避することにより、先に発信した電話機の動作安定性を確保するものであり、例えば、非常電話機２０ａ〜２０ｎのうち、非常電話機２０ａをオフフックしたときに、非常電話機２０ａの起動のみ許可し、他の非常電話機２０ｎ−１，２０ｎが起動しないようにする仕組みを構築することにより、回線電流の低下を防ぎ、非常電話機２０ａの動作の安定性を確保するものである。
【００２０】
このため、例えば、非常電話機２０ａをオフフックしたときに回線電圧が−４８Ｖから−１６〜−２２Ｖ程度に低下することを利用し、非常電話機２０ａが一定値以上の回線電圧である場合にのみ起動する回線制御部２１に、図３に示すハードウエア回路を実装し、その閾値を回線仕様の最小値（−４２Ｖ）等に設定することとした。
【００２１】
例えば、図３に示すように、アナログ回線１０を構成する線Ｌ１に０Ｖ，線Ｌ２に−４８Ｖの電圧が印加されているとする。この状態で、オフフック検知部２１１で送受話器２１３のオフフック（オフフック検知部２１１のＳＷが閉じた状態）が検知され、電圧検知部２１２で抵抗比Ｒ２／Ｒ１により分割された抵抗Ｒ２の電圧降下値と、回線仕様の最小値を検出するための電圧検知部２１２に設定された閾値とを比較し、抵抗Ｒ２の電圧降下値が閾値以上であれば、起動制御部２１０のゲートＧに電流を流してアノードＡとカソードＫ間を導通（ターンオン）させて電源制御部２１０ａを介して電話機本体２０を起動する。
【００２２】
このように、送受話器２１３がオフフックした時点で非常電話機２０ａを除く他の非常電話機２０ｎ−１，２０ｎは使用できなくなり、したがって、使用中の非常電話機２０ａの動作不安定を防止できる。なお、起動制御部２１０は、ホールド機能を持つため、一旦、ターンオンして非常電話機２０ａの電話機本体２０を起動した後、送受話器２１３をオンフックしない限りターンオン状態が継続し、他の非常電話機２０ｎ−１，２０ｎが起動されることはない。
【００２３】
（実施形態の効果）
以上説明のように本実施形態に係る電話機によれば、回線制御部２１を、オフフック検知部２１１が、送受話器２１３のオフフックを検知し、電圧検知部２１２が、アナログ回線の回線電圧を監視し、所定の電圧値を満たして制御信号を出力した場合に電話機本体２０を起動する構成とすることにより、アナログ回線１回線に複数の電話機が接続された場合の同時使用を回避して回線電流の低下を防ぎ、動作の安定化をはかった電話機を提供することができる。
【００２４】
なお、起動制御部２１０は、電圧検知部２１２が制御信号を出力して一旦オンすると、以降、送受話器２１３をオンフックするまでの間ターンオン状態を保持するスイッチング素子又はスイッチング回路を含むことで、ターンオン後の他の電話機の使用も可能になる。
【００２５】
なお、本実施形態に係る電話機は、非常電話機２０ａ・・２０ｎ−１，２０ｎについて例示したが、１回線のアナログ回線１０に接続され、アナログ回線１０の電圧低下により同時使用できない一般仕様の電話でも同様に適用できる。但し、緊急事態発生時の通報に用いられる複数の非常電話機２０ａ・・２０ｎ−１，２０ｎが１回線のアナログ回線１０に接続された場合に顕著な効果が得られる。電気通信事業者は、特番（１１０番／１１８番／１１９番）による緊急通報を行う際に、管轄の特番通報受理機関である、警察、海上保安庁、消防へ接続する機能を持つことが義務付けられており、このために１回線のアナログ回線１０が用いられる場合有効である。なお、特番通報に限らず、高速道路や幹線道路、あるいは銀行等で不測の事態が発生した場合の緊急通報においても同様に適用できる。
【００２６】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００２７】
１０  アナログ回線、２０ａ〜２０ｎ  非常電話機、２０  電話機本体（主制御部）、２１  回線制御部、２１０  起動制御部、２１０ａ  電源制御部、２１０ｂ  内部電源、２１１  オフフック検知部、２１２  電圧検知部、２１３  送受話器
【図１】
2018186441.tif 000003
【図２】
2018186441.tif 000004
【図３】
2018186441.tif 000005